(57)【要約】【課題】  細胞や組織の活性化を十分に促進して確実に治療できる電気治療器を提供する。【解決手段】  交流を整流して平滑する整流平滑回路５と、整流平滑回路５で整流平滑した直流を出力するためのプローブ６とを有する。プローブ６は、導電性の接触部７と導電性の把持部８とを有し、その接触部７と把持部８とを絶縁している。プローブ６の把持部８には、整流平滑回路５の出力の正極側を接続しており、プローブ６の接触部７には、整流平滑回路５の出力の負極側を接続している。前記直流は、人がプローブ６の把持部８を把持して接触部７を当該人の体に接触させた状態で、把持部８から人体を通って接触部７へ流れる電流が２００μＡ、把持部８と接触部７との間の電圧が７０Ｖになるように調節してある。【選択図】  図１
2013202194.tif 000002
【特許請求の範囲】
【請求項１】
直流を人体に与えて治療を行う電気治療器（１）であって、
所定電圧の交流を整流して平滑する整流平滑回路（５）と、その整流平滑回路（５）で整流平滑した直流を出力するためのプローブ（６）とを有しており、
プローブ（６）は、人体に接触させるための導電性の接触部（７）と、人が把持するための導電性の把持部（８）とを有していて、その接触部（７）と把持部（８）とを絶縁しており、
把持部（８）には、整流平滑回路（５）の出力の正極側を接続しており、接触部（７）には、整流平滑回路（５）の出力の負極側を接続しており、
前記直流は、人がプローブ（６）の把持部（８）を把持して接触部（７）を人体に接触させた状態で、把持部（８）から人体を通って接触部（７）へ流れる電流が１００〜３００μＡの範囲、把持部（８）と接触部（７）との間の電圧が５０〜９０Ｖの範囲になるように設定してあることを特徴とする電気治療器。
【請求項２】
前記整流平滑回路（５）の出力の正極側には、導電性の握り（１２）を接続していることを特徴とする請求項１記載の電気治療器。
【請求項３】
プローブ（６）の接触部（７）には、音声回路（１６）を接続してあり、
前記音声回路（１６）は、前記直流の変動に応じた音声をスピーカ（１９）から出力することを特徴とする請求項１または２記載の電気治療器。
【発明の詳細な説明】
【技術分野】
【０００１】
本発明は、人体に微小電流を流して患部を治療する電気治療器に関するものである。
【背景技術】
【０００２】
人体に微弱な電流を流すことで、細胞内のミトコンドリアの働きが増大してＡＴＰ（アデノシン三燐酸）が大量に生成され、これによって細胞や組織の活性化が図れることが知られている。これを利用して人体を治療する治療器としては、例えば特許文献１に示すように、商用電源の交流を高電圧（例えば５０００Ｖ）に昇圧して人体に印加するものがある。
【先行技術文献】
【特許文献】
【０００３】
【特許文献１】実用新案登録第３１２０７７５号公報
【発明の概要】
【発明が解決しようとする課題】
【０００４】
特許文献１の電気治療器では、交流を用いているために人体に流れる電流（電子）の向きが急激に変わる。このためミトコンドリアの働きが十分には増大せず、細胞や組織が十分には活性化しないことになる。
【０００５】
本発明は、かかる不都合を解決することを目的として提供されたものであり、細胞や組織の活性化を十分に促進して確実に治療できる電気治療器を提供することにある。
【課題を解決するための手段】
【０００６】
本発明は、かかる不都合を解決するためのものであり、直流を人体に与えて治療を行う電気治療器１であって、所定電圧の交流を整流して平滑する整流平滑回路５と、その整流平滑回路５で整流平滑した直流を出力するためのプローブ６とを有しており、プローブ６は、人体に接触させるための導電性の接触部７と、人が把持するための導電性の把持部８とを有していて、その接触部７と把持部８とを絶縁しており、把持部８には、整流平滑回路５の出力の正極側を接続しており、接触部７には、整流平滑回路５の出力の負極側を接続しており、前記直流は、人がプローブ６の把持部８を把持して接触部７を人体に接触させた状態で、把持部８から人体を通って接触部７へ流れる電流が１００〜３００μＡの範囲、把持部８と接触部７との間の電圧が５０〜９０Ｖの範囲になるように設定してあることを特徴とする。
【０００７】
整流平滑回路５の出力の正極側には、導電性の握り１２を接続しているものとすることができる。
【０００８】
また、プローブ６の接触部７に音声回路１６を接続してあり、音声回路１６は、直流の変動に応じた音声をスピーカ１９から出力するものとすることができる。
【発明の効果】
【０００９】
本発明の電気治療器１は、プローブ６の接触部７が負極、プローブ６の把持部８が正極となる直流を人体に流すので、人がプローブ６の把持部８を手や指で把持してプローブ６の接触部７の先端を当該人のつぼなどに接触させたときには、プローブ６の接触部７の先端から前記つぼなどへ、電子が安定して、且つ、集中的に流れる。これにより、プローブ６の接触部７を接触させた箇所周辺の細胞内のミトコンドリアの働きを効率よく増大させることができ、その結果、前記つぼなどの周辺の細胞や組織の活性化を十分に促進でき、治療を適正に行うことができる。
【００１０】
また、プローブ６の把持部８を片手で把持して接触部７を人体に接触させるだけで、治療することができるので、例えば両手を使って治療を行う電気治療器よりも治療を楽に行うことができる。さらに、把持部８と接触部７との間の電圧が５０〜９０Ｖの範囲に収まるので、耐圧のための構造を高電圧（例えば５０００Ｖ）の場合よりも簡略化でき、その分だけ電気治療器１の低コスト化を図ることができる。そのうえで、プローブ６から人体へ流れる電流が、治療に適する１００〜３００μＡの範囲になるので、治療を的確に行うことができる。
【００１１】
整流平滑回路５の出力の正極側に導電性の握り１２を接続していると、治療対象の人が前記握り１２を把持することで、治療対象以外の人がプローブ６の把持部８を把持して、プローブ６の接触部７の先端を治療対象の人のつぼなどに接触させても、その接触部７の先端から治療対象の人のつぼなどへ電子が流れ、当該治療対象の人への治療を確実に行うことができる。
【００１２】
プローブ６の接触部７に接続してある音声回路１６が、直流の変動に応じた音声をスピーカ１９から出力すると、その音声によって治療状態を把握することができる。
【図面の簡単な説明】
【００１３】
【図１】本発明に係る電気治療器のブロック構成図である。
【図２】本発明に係るプローブの断面図である。
【発明を実施するための形態】
【００１４】
本発明に係る電気治療器の一実施例を図面に基づいて説明する。本発明の電気治療器１は、人体に直流の微小電流（マイクロアンペア）を流して治療するようになっている。
【００１５】
電気治療器１の本体２には、図１に示すように、商用電源３からの１００Ｖの交流電圧（周波数は５０Ｈｚまたは６０Ｈｚ）を、例えば５０Ｖの交流電圧（所定電圧）に変換するトランス４と、そのトランス４から出力された交流を整流して平滑する整流平滑回路５と、その整流平滑回路５で整流平滑した直流を本体２の外へ出力するためのプローブ６とを有している。
【００１６】
プローブ６は、図２に示すように、先端側が「へ」の字状に屈曲するとともにその先端を矢尻状に形成した接触部７と、その接触部７の基端側に配置した円筒形状の把持用の把持部８とからなる。接触部７は、導電性を有する金属で形成しており、前記整流平滑回路５の出力の負極側に接続している。把持部８は、導電性を有する金属で形成しており、整流平滑回路５の出力の正極側に接続している。把持部８と接触部７とは、絶縁体１１で絶縁している。また、接触部７は、絶縁体１１によって把持部８に支持している。なお、整流平滑回路５の出力は、その正極側が接地されており、これによってプローブ６の接触部７が負電圧になる。
【００１７】
電気治療器１の整流平滑回路５の出力には、図１に示すように、出力電流調節用の可変抵抗Ｒ１を配置しており、その可変抵抗Ｒ１を介して整流平滑回路５とプローブ６とを接続している。また、整流平滑回路５の出力の正極側（プローブ６の把持部８側：接地側）には、導電性を有する丸棒形状の金属製の握り１２を接続している。
【００１８】
電気治療器１の本体２には、電源スイッチ１３と、ヒューズ１４と、ＬＥＤなどからなる電源ランプ１５と、音声回路１６と、メータ回路１７と、音声回路１６やメータ回路１７へ電源供給するための電源回路１８とを有している。
【００１９】
音声回路１６は、プローブ６の接触部７に接続してあり、その接触部７に流れる直流の変動に応じた音声をスピーカ１９から出力する。メータ回路１７は、プローブ６の接触部７に接続してあり、その接触部７の出力電圧（レベル）を、例えばＬＥＤ（不図示）の点灯によって表示する。
【００２０】
次に、電気治療器１の動作を説明する。治療対象の人が自身で治療を行う場合には、当該人がプローブ６の把持部８を手や指で把持して、プローブ６の接触部７の先端を所望の位置（例えばつぼ）に接触させる。すると、その人の体には、プローブ６の把持部８と接触部７とを介して直流電流が流れ、その直流電流によって人が治療される。その際の直流は、可変抵抗Ｒ１を調節することによって、人がプローブ６の把持部８を把持して接触部７を人体に接触させた状態で、例えば、プローブ６の把持部８と接触部７との間の電圧が７０Ｖ、把持部８から人体を通って接触部７へ流れる電流が２００μＡになるようにしてある。
【００２１】
また、治療対象以外の人（以下、施療師という）が治療対象の人（以下、被治療者という）の治療を行う場合には、被治療者は握り１２を把持する。そして、施療師がプローブ６の把持部８を手や指で把持して、プローブ６の接触部７の先端を被治療者のつぼなどに接触させる。すると、被治療者の人体には、握り１２とプローブ６の接触部７とを介して直流電流が流れ、その直流電流（前記２００μＡ）によって治療される。
【００２２】
このように、プローブ６の接触部７が負極、プローブ６の把持部８が正極となる直流を人体に流すので、人がプローブ６の把持部８を手や指で把持してプローブ６の接触部７の先端を当該人の所望の位置（例えばつぼ）に接触させたときには、プローブ６の接触部７の先端から前記所望の位置へ、電子が安定して、且つ、集中的に流れる。これにより、プローブ６の接触部７を接触させた箇所周辺の細胞内のミトコンドリアの働きを効率よく増大させることができ、前記所望の位置の周辺の細胞や組織の活性化を促進させて、治療を的確に行うことができる。
【００２３】
また、プローブ６の把持部８を片手で把持して接触部７を人体に接触させるだけで、治療することができるので、例えば両手を使って治療を行う電気治療器よりも治療を楽に行うことができる。さらに、把持部８と接触部７との間の電圧が７０Ｖであるので、耐圧のための構造を高電圧（例えば５０００Ｖ）の場合よりも簡略化でき、その分だけ電気治療器１の低コスト化を図ることができる。そのうえで、プローブ６から人体へ流れる電流が、治療に適する２００μＡであるので、治療を的確に行うことができる。
【００２４】
また、整流平滑回路５の出力の正極側に導電性の握り１２を接続しているので、被治療者が握り１２を把持することで、施療師がプローブ６の把持部８を把持して、プローブ６の接触部７の先端を被治療者のつぼなどに接触させても、その接触部７の先端から被治療者のつぼなどへ電子が流れ、当該被治療者への治療を確実に行うことができる。
【００２５】
また、プローブ６の接触部７に接続してある音声回路１６が、直流の変動に応じた音声をスピーカ１９から出力するので、その音声によって治療状態を把握することができる。
【００２６】
なお、前記直流は、プローブ６を介して人体へ流れる電流が１００〜３００μＡの範囲、把持部８と接触部７との間の電圧が５０〜９０Ｖの範囲であればよい。
【符号の説明】
【００２７】
１  電気治療器
２  本体
３  商用電源
４  トランス
５  整流平滑回路
６  プローブ
７  接触部
８  把持部
１２  握り
１６  音声回路
１９  スピーカ
【図１】
2013202194.tif 000003
【図２】
2013202194.tif 000004